【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
（ａ）第１のガスタービンを使用して第１のコンプレッサを駆動し、これによって第１の冷凍サイクルの第１の冷媒を圧縮する段階と、
（ｂ）第２のガスタービンを使用して第２のコンプレッサを駆動し、これによって前記第１の冷凍サイクルの第１の冷媒を圧縮する段階と、
（ｃ）第１のスチームタービンを使用して第３のコンプレッサを駆動し、これによって第２の冷凍サイクルの第２の冷媒を圧縮する段階と、
（ｄ）第２のスチームタービンを使用して第４のコンプレッサを駆動し、これによって前記第２の冷凍サイクルの第２の冷媒を圧縮する段階とを含む天然ガスの液化方法。
【請求項２】
前記第１の冷媒サイクルは密閉冷媒サイクルであり、前記第２の冷媒サイクルは開放冷媒サイクルである請求項１に記載の方法。
【請求項３】
（ａ）第１のガスタービンを使用して第１のコンプレッサ及び第２のコンプレッサを駆動し、これによって前記第１及び第２のコンプレッサ内の第１及び第２の冷媒をそれぞれ圧縮する段階と、
（ｂ）第２のガスタービンを使用して第３のコンプレッサ及び第４のコンプレッサを駆動し、これによって前記第３及び第４のコンプレッサ内の前記第１及び第２の冷媒をそれぞれ圧縮する段階と、
（ｃ）前記第１及び第２のガスタービンの少なくとも１つから廃熱を回収する段階と、
（ｄ）前記回収された廃熱の少なくとも一部を使用して第１のスチームタービンに動力を供給する手助けをする段階と、
（ｅ）前記第１のスチームタービンによって駆動される第５のコンプレッサ内の第３の冷媒を圧縮する段階とを含む天然ガスの液化方法。
【請求項４】
（ｆ）前記回収された廃熱の少なくとも一部を使用して第２のスチームタービンに動力を供給する手助けをする段階と、
（ｇ）前記第２のスチームタービンによって駆動される第６のコンプレッサ内の前記第３の冷媒を圧縮する段階と、
（ｈ）前記第１のスチームタービンによって駆動される第７及び第８のコンプレッサ内の前記第３の冷媒を圧縮する段階と、
（ｉ）前記第２のスチームタービンによって駆動される第９及び第１０のコンプレッサ内の前記第３の冷媒を圧縮する段階とを含み、
前記第１及び第３のコンプレッサは並列になって第１の冷凍サイクルに連結され、前記第２及び第４のコンプレッサは並列になって第２の冷凍サイクルに連結され、前記第５及び第６のコンプレッサは並列になって第３の冷凍サイクルに連結されており、
前記第５、第７及び第８のコンプレッサは直列になって前記第３の冷凍サイクルに連結され、前記第６、第９及び第１０のコンプレッサは直列になって前記第３の冷凍サイクルに連結されており、
前記第５、第７及び第８のコンプレッサは、前記第６、第９及び第１０のコンプレッサと並列になって前記第３の冷凍サイクルに連結されており、
前記第１の冷媒は大部分がプロパンを含み、前記第２の冷媒は大部分がエチレンを含み、前記第３の冷媒は大部分がメタンを含む請求項３に記載の方法。
【請求項５】
（ａ）第１の冷媒を第１のガスタービンで駆動される第１のコンプレッサ内で圧縮する段階と、
（ｂ）前記第１のガスタービンから廃熱を回収する段階と、
（ｃ）前記第１のガスタービンから回収された廃熱の少なくとも一部を使用して第１のスチームタービンに動力を供給する手助けをする段階と、
（ｄ）大部分がメタンを含む第２の冷媒を前記第１のスチームタービンで駆動される第２のコンプレッサ内で圧縮する段階とを含む天然ガスの液化方法。
【請求項６】
前記第１の冷媒は大部分が、プロパン、プロピレン、エタン、エチレン、及びそれらの組み合わせからなる群から選択される１つの炭化水素を含む請求項５に記載の方法。
【請求項７】
（ａ）大部分が、プロパン、プロピレン及びそれらの組み合わせからなる群から選択される１つの炭化水素を含む第１の冷媒を、第１のタービンで駆動される第１のコンプレッサ内で圧縮する段階と、
（ｂ）大部分が、エタン、エチレン及びそれらの組み合わせからなる群から選択される１つの炭化水素を含む第２の冷媒を、前記第１のタービンで駆動される第２のコンプレッサ内で圧縮する段階と、
（ｃ）第１の冷却器内の前記第１の冷媒を使用して天然ガスを冷却する段階と、
（ｄ）第２の冷却器内の前記第２の冷媒を使用して天然ガスを冷却する段階とを含む天然ガスの液化方法。
【請求項８】
（ｅ）前記第１の冷媒の少なくとも一部を、第２のタービンで駆動される第３のコンプレッサ内で圧縮する段階と、
（ｆ）前記第２の冷媒の少なくとも一部を、前記第２のタービンで駆動される第４のコンプレッサ内で圧縮する段階を含み、
前記第１及び第２のタービンはガス駆動タービンであり、
（ｇ）エコノマイザ内で天然ガスの一部を第３の冷媒として使用して天然ガスを冷却する段階と、
（ｈ）前記第３の冷媒の少なくとも一部を、スチーム駆動タービンである第３のタービンで駆動される第５のコンプレッサ内で圧縮する段階と、
（ｉ）前記第１及び第２のタービンの少なくとも１つから廃熱を回収する段階と、
（ｊ）前記回収された廃熱の少なくとも一部を使用して前記第３のタービンに動力を供給する手助けをする段階とを含み、
前記第２の冷却器は前記第１の冷却器の下流に配置され、前記エコノマイザは前記第２の冷却器の下流に配置されている請求項７に記載の方法。
【請求項９】
前記第１の冷媒は大部分がプロパンを含み、前記第２の冷媒は大部分がエチレンを含み、前記第３の冷媒は大部分がメタンを含む請求項８に記載の方法。
【請求項１０】
（ａ）天然ガスの一部を第１の冷媒として使用して前記天然ガスを冷却する段階と、
（ｂ）前記第１の冷媒の少なくとも一部を、第１のスチームタービンで駆動される第１群のコンプレッサで圧縮する段階と、
（ｃ）前記第１の冷媒の少なくとも一部を、第２のスチームタービンで駆動される第２群のコンプレッサで圧縮する段階とを含む天然ガスの液化方法。
【請求項１１】
（ｄ）第２の冷媒を第１のガスタービンで駆動される第２の冷媒コンプレッサで圧縮する段階と、
（ｅ）前記第２の冷媒で前記天然ガスを冷却する段階と、
（ｆ）前記第１のガスタービンからの廃熱を回収する段階と、
（ｇ）前記回収された廃熱を使用して前記第１及び第２のスチームタービンの少なくとも１つに動力を供給する手助けをする段階とを含む請求項１０に記載の方法。
【請求項１２】
前記第１の冷媒は大部分がメタンを含み、前記第２の冷媒は大部分が、プロパン、プロピレン、エタン、エチレン、及びそれらの組み合わせからなる群から選択される１つの炭化水素を含む請求項１１に記載の方法。
【請求項１３】
（ａ）蒸気発生器で高圧水蒸気を発生する段階と、
（ｂ）前記高圧水蒸気の第１の部分を使用して、第１のガスタービンに駆動系が結合された第１のスタータスチームタービンに動力を供給する段階と、
（ｃ）前記高圧水蒸気の第２の部分を使用して、第２のガスタービンに駆動系が結合された第２のスタータスチームタービンに動力を供給する段階と、
（ｄ）前記高圧水蒸気の第３の部分を使用して、第１群のコンプレッサに駆動系が結合された第１のメインスチームタービンに動力を供給する段階と、
（ｅ）前記高圧水蒸気の第４の部分を使用して、第１群のコンプレッサに駆動系が結合された第２のメインスチームタービンに動力を供給する段階とを含むＬＮＧプラントの立ち上げ方法。
【請求項１４】
多段階で天然ガスを冷却する複数冷凍サイクルにおいて複数冷媒を用いる天然ガス液化装置であって、
第１の冷凍サイクルの第１の冷媒を圧縮する第１のコンプレッサと、
第２の冷凍サイクルの第２の冷媒を圧縮する第２のコンプレッサと、
前記第１及び第２のコンプレッサを駆動する第１のガスタービンと
前記第１の冷凍サイクルの前記第１の冷媒を圧縮する第３のコンプレッサと、
前記第２の冷凍サイクルの前記第２の冷媒を圧縮する第４のコンプレッサと、
前記第３及び第４のコンプレッサを駆動する第２のガスタービンと、
第３の冷凍サイクルの第３の冷媒を圧縮する第５のコンプレッサと、
前記第５のコンプレッサを駆動する第１のスチームタービンと、
前記第１及び第２のガスタービンの少なくとも１つから廃熱を回収し、前記回収された廃熱を使用して前記第１のスチームタービンに動力を供給する手助けをする熱回収システムとを備える、上記天然ガス液化装置。
【請求項１５】
前記第１及び第３のコンプレッサの流体の流れは並列になって前記第１の冷凍サイクルに連結され、前記第２及び第４のコンプレッサの流体の流れは並列になって前記第２の冷凍サイクルに連結されており、
前記第３の冷凍サイクルの前記第３の冷媒を圧縮する第６のコンプレッサと、前記第６のコンプレッサを駆動する第２のスチームタービンとを備え、
前記第５及び第６のコンプレッサの流体の流れは並列になって前記第３の冷凍サイクルに連結されており、
前記第１のスチームタービンによって駆動され、前記第３の冷媒を圧縮する第７のコンプレッサと、
前記第２のスチームタービンによって駆動され、前記第３の冷媒を圧縮する第８のコンプレッサと、
前記第１のスチームタービンによって駆動され、前記第３の冷媒を圧縮する第９のコンプレッサと、前記第２のスチームタービンによって駆動され、前記第３の冷媒を圧縮する第１０のコンプレッサとを備え、
前記第５、第７及び第９のコンプレッサの流体の流れは直列になって前記第３の冷凍サイクルに連結され、前記第６、第８及び第１０のコンプレッサの流体の流れは直列になって前記第３の冷凍サイクルに連結されており、
前記第５、第７及び第９のコンプレッサの流体の流れは前記第６、第８及び第１０のコンプレッサの流体の流れと並列になって前記第３の冷凍サイクルに連結されている請求項１４に記載の装置。
【請求項１６】
第１の冷凍サイクルの第１の冷媒を用いて天然ガス冷却の手助けをする天然ガス液化装置であって、
第１のスチームタービンと、
前記第１のスチームタービンで駆動され、前記第１の冷媒の少なくとも一部を圧縮するように動作可能である第１群のコンプレッサと、
第２のスチームタービンと、
前記第２のスチームタービンで駆動され、前記第１の冷媒の少なくとも一部を圧縮するように動作可能である第２群のコンプレッサとを含む装置。
【請求項１７】
前記第１群のコンプレッサは、直列になって前記第１の冷凍サイクルに連結された少なくとも２つの個別のコンプレッサを含み、前記第２群のコンプレッサは、直列になって前記第１の冷凍サイクルに連結された少なくとも２つの個別のコンプレッサを含み、
前記第１群のコンプレッサの個別のコンプレッサは、前記第１のスチームタービンによって駆動される場合に、前記第１群のコンプレッサの個別のコンプレッサが全て実質的に同一速度で回転することを要するように駆動系がお互いに結合されており、前記第２群のコンプレッサの個別のコンプレッサは、前記第２のスチームタービンによって駆動される場合に、前記第２群のコンプレッサの個別のコンプレッサが全て実質的に同一速度で回転することを要するように駆動系がお互いに結合されている請求項１６に記載の装置。